(57)【要約】【課題】  包装体の最も安価な袋状の物は開ける際、破り難く破っても内容物の液体が手に付き易く吐出量の調整が困難であった。小瓶状の物は蓋がネジ式なので開閉が少し面倒である。小カップ状の物は開ける際、気をつけないと内容物の液体が手に付き易く半端に残っていると零れ易い。二つ折りで使う包装体は内容物の液体吐出の微量微調整が難しく製造コストが高くて嵩張り易かった。【解決手段】  形状を嵩張り難く、二つ折りのＶ字にし易い細長いパイプ状にした。中央部は折る事でＶ字の軸部の一部が開口し易いように形状を変え、ハーフカットも入れ、完全に分離しないようにもした。そしてスポイド状の物が二つ並んだ格好になり、アーム部をスポイドのような使い方が出来るように復元性を持たせ、一体物で安く造る。【選択図】  図１
2006062717.tif 000002
【特許請求の範囲】
【請求項１】
パイプ状の一体物の中に内容物の液体を入れ両端部が密閉され、中央部は折曲り易く部分開口し易いようにハーフカットを入れ、なお部分開口のための突起部や形状を設けた事を特徴とする包装体。
【請求項２】
請求項１記載の包装体において、パイプ状の断面は色んな形状の円、楕円、長方形、三角形、菱形や図１２等々の形状を有しうる事を特徴とする包装体。
【請求項３】
請求項１記載の包装体において、両端部の密閉は圧着を特徴とする包装体。
【請求項４】
請求項１記載の包装体において、両端部の密閉は圧着部の面積をより広くした事を特徴とする包装体。
【請求項５】
請求項１記載の包装体において、両端部の密閉は形状を球状にした事を特徴とする包装体。
【請求項６】
請求項１記載の包装体において、中央部は折曲り易く部分開口し易いように色んな形状の部分圧着と突起部を設け、ハーフカットを施した事を特徴とする包装体。
【請求項７】
請求項１記載の包装体において、中央部は折曲り易く部分開口し易いように細くして、ハーフカットを施した事を特徴とする包装体。
【請求項８】
請求項１記載の包装体において、中央部を折曲げV字形にする事で突起部が破れ部分開口する事を特徴とする包装体。
【請求項９】
請求項１記載の包装体において、突起部が部分開口した口の大きさは包装体に何ら外部圧力を掛けない状態では、液体粘度と両側密閉により漏れ難い状態の大きさを特徴とする包装体。
【請求項１０】
請求項１記載の包装体において、使用する時、中央部を折曲げV字形にして両端部を合わせ、折曲げた中央部の軸部は分離せず、二列並んだスポイドのように成る事を特徴とする包装体。
【請求項１１】
請求項１記載の包装体において、材料は中央部から端部間の断面がスポイドのような復元力を持った事を特徴とする包装体。
【請求項１２】
請求項１記載の包装体において、内容物の液体を任意量吐出すためには二列並んだスポイド状態で、中央部から端部間の間を数回加減しながら押出す事を特徴とする包装体。
【発明の詳細な説明】
【技術分野】
【０００１】
本発明は、調味料や薬品、化粧品等々の液体の内容物を少量収め、容易に手を汚す事無く任意の量を吐出する事が出来き、安く造る事が出来る包装体に関する。
【背景技術】
【０００２】
従来から液体を少量包装した包装体は多々有りました。シート二枚を重ね周囲を固着した袋状の物や蓋がネジ式の瓶状の物。そしてカップ状の容器の上を平面シートの蓋で被せた小カップ容器。フレキシブルなポケットを二つ設けたシートの上に、少し固めの平面シートの蓋で被せ真ん中を折り曲げ易くて一部開口し易くした包装体等があります。
【０００３】
【特許文献１】特開昭５９−１０３８６６号公報
【発明の開示】
【発明が解決しようとする課題】
【０００４】
最も安価な小容量の袋状の物は開ける際、破り難く破っても内容物の液体が手に付き易く吐出量の調整が困難であった。小瓶状の物は蓋がネジ式なので開閉が少し面倒である。小カップ状の物は開ける際、気をつけないと内容物の液体が手に付き易く半端に残っていると零れ易い。二つ折りで使う包装体は内容物の液体吐出の微量微調整が難しく製造コストが高くて嵩張り易かった。
【０００５】
本発明は、このような各種の問題を解決しようとする物です。手を汚す事無く容易に開ける事が出来、内容物の液体を任意量取出す事が出来る。また製造コストも安くて嵩張らない形状の包装体を実現する物である。
【課題を解決するための手段】
【０００６】
そこで、本発明は上記問題を解決するために、形状を嵩張り難く、二つ折りのＶ字形にし易い細長いパイプ状にした。中央部は折る事でＶ字形の軸部に有る突起部の一部が開口し易いような形状してハーフカットも入れ完全に分離しないようにもした。使用する時はスポイド状の物が二つ並んだ格好になり、内容物の液を吐出するときは中央部から端部を数回押す事でスポイドのような使い方が出来る調整可能な包装体。そして一体物で安く造れ、嵩張らない樹脂製にした。
【発明の効果】
【０００７】
本発明により、手を汚す事無く簡単に吐出口を開け、内容物の液体を微調整しながら任意の量を出す事が出来る。そして安く造れ、嵩張らない。
【発明を実施するための最良の形態】
【０００８】
図１、図２においてパイプ形状の本体１に中央部は図１４のようなハーフカット３を入れる事で折曲り易く、突起部４が破れ易くなる。しかしＶ字形の軸部６は分離しない。
【０００９】
中央部の突起部４は折曲げたとき三角形の頂点に集中応力が働き易い図９のような形状にした。
【００１０】
なお中央部の部分圧着２も折曲がり易く、突起部を造り易くする。
【００１１】
そして内容物７の液体を本体内に入れ、両端部ｂを密閉のため圧着した。
【００１２】
以下、上記構成から使用動作を説明する。本体１の中央部のハーフカット３や突起部４がある部分を折曲げ、図４のようにＶ字形にして突起部を破り部分開口５を作る。そして尚、両端部ｂを合わせアーム部ａが二つ並んだ図５のような状態にする事でスポイドが二つ並んだような格好になる。
【００１３】
それから内容物７の液体を任意量吐出すため、図５の二列スポイド状態のアーム部ａを指で何度か加減しながら本体内の液体を押出す。
【実施例１】
【００１４】
請求項２記載のアーム部ａの断面は図１０，図１１，図１２のように円、楕円、長方形、三角形、菱形等々が有り得る。
【実施例２】
【００１５】
請求項４記載の両端部は圧着部を広くした図６、図７の端部ｂのようにした物。
【実施例３】
【００１６】
請求項５記載の両端部は球状にした図８のようにした物。
【実施例４】
【００１７】
請求項６記載の中央部の色んな圧着形状は図２の断面図９や三角形を造った図１３、図１６等々が有り得る。
【実施例５】
【００１８】
請求項７記載の中央部の形状は図８のように部分的に細く造った。
【実施例６】
【００１９】
請求項９記載の突起部が破れた時の開口口の大きさは、液体の粘度が小さい時は小さく、粘度が高い時はやや大き目である。
【図面の簡単な説明】
【００２０】
【図１】本発明の実施形態を示す包装体の下面図
【図２】同包装体の正面図
【図３】同包装体の左右側面図
【図４】同包装体のＶ字状態
【図５】同包装体の液体吐出時の状態
【図６】同包装体の請求項４記載の実施例
【図７】同包装体の請求項４、６記載の実施例
【図８】同包装体の請求項５，７記載の実施例
【図９】同包装体の図２のＡ−Ａ線断面図
【図１０】同包装体の図８のＥ−Ｅ線断面図
【図１１】同包装体の図２のＢ−Ｂ線断面図
【図１２】同包装体の請求項２記載の実施例断面図
【図１３】同包装体の請求項２記載の実施例の中央部断面図
【図１４】同包装体の図１のハーフカットＣ−Ｃ線断面図
【図１５】同包装体の図８のＤ−Ｄ線断面図
【図１６】同包装体の図７のＦ−Ｆ線断面図
【符号の説明】
【００２１】
１  本体
２  圧着部
３  ハーフカット
４  突起部
５  開口部
６  軸部
７  内容物（液体）
ａ  アーム部
ｂ  端部
【図１】
2006062717.tif 000003
【図２】
2006062717.tif 000004
【図３】
2006062717.tif 000005
【図４】
2006062717.tif 000006
【図５】
2006062717.tif 000007
【図６】
2006062717.tif 000008
【図７】
2006062717.tif 000009
【図８】
2006062717.tif 000010
【図９】
2006062717.tif 000011
【図１０】
2006062717.tif 000012
【図１１】
2006062717.tif 000013
【図１２】
2006062717.tif 000014
【図１３】
2006062717.tif 000015
【図１４】
2006062717.tif 000016
【図１５】
2006062717.tif 000017
【図１６】
2006062717.tif 000018